(57)【要約】【目的】音声入力デバイスの装備されていない機種において、汎用性の高い動画データ作成システムを開発負荷の増大を抑えつつ製作することができる画像撮像装置を提供すること。【構成】撮像した動画データを記録媒体に記録することが可能な画像撮像装置を、撮像手段と、制御手段と、揮発性メモリと、前記撮像手段にて撮像した動画像データを所定の音声データと組み合わせた動画データを前記揮発性メモリ上に作成する機能を有し、前記揮発性メモリに記憶されたデータを着脱可能若しくは内蔵の不揮発性メモリに転送して保存記録するデータ記録手段を含んで構成する。【選択図】　　　図１
2004007216.tif 000002
【特許請求の範囲】
【請求項１】
撮像した動画データを記録媒体に記録することが可能な画像撮像装置であって、撮像手段と、制御手段と、揮発性メモリと、前記撮像手段にて撮像した動画像データを所定の音声データと組み合わせた動画データを前記揮発性メモリ上に作成する機能を有し、前記揮発性メモリに記憶されたデータを着脱可能若しくは内蔵の不揮発性メモリに転送して保存記録するデータ記録手段を有することを特徴とする画像撮像装置。
【請求項２】
前記撮像装置は音声入力マイクと動画を撮影する際に記録する音声データを選択する選択手段を有し、前記選択手段は音声データを音声入力マイクから得られるデータを記録する乃至は無音データを記録する乃至は上記不揮発性メモリに記録されている音声データから作成されることの何れかを選択することを特徴とする請求項１記載の画像撮像装置。
【請求項３】
前記撮像装置は動画を撮影する際に記録する音声データを選択する選択手段を有し、記録する音声データを音声入力マイクからの音声データとして選択していない場合には、動画を撮影する際にメカ駆動を許可することを特徴とする請求項１記載の画像撮像装置。
【請求項４】
前記撮像装置は動画を撮影する際に記録する音声データを選択する選択手段を有し、記録する音声データを音声入力マイクからの音声データとして選択していない場合には、音声データを音声入力マイクからの音声データとして選択している場合よりも、動画撮影を終了するトリガーを遅らせることを特徴とする請求項１記載の画像撮像装置。
【請求項５】
前記撮像装置は動画を撮影する際に記録する音声データを選択する選択手段を有し、記録する音声データを音声入力マイクからの音声データとして選択していない場合には、音声データを音声入力マイクからの音声データとして選択している場合よりも、動画撮影を開始するトリガーを早くすることを特徴とする請求項１記載の画像撮像装置。
【請求項６】
前記撮像装置は外部音声入力装置用のコネクタと外部音声入力装置が装着されたことを検知する検知装置とを有し、上記検知装置が外部音声入力装置が装着されたことを検知した場合には、動画を撮影する際にメカ駆動を許可することを特徴とする請求項１記載の画像撮像装置。
【発明の詳細な説明】
【０００１】
【発明の属する技術分野】
本発明は、動画データを記録する音声データ付き動画データ撮像装置に関するものである。
【０００２】
【従来の技術】
従来、固体メモリ素子を有するメモリカードを記録媒体として、動画を撮影する電子カメラ等の動画データ作成システムは既に販売されている。これら電子カメラでは、マイク等の音声入力デバイスが装備されている機種では音声データ付き動画データを作成し、装備されていない機種では音声データ無し動画データを作成していた。又、音声データに鏡頭のズーミング音やフォーカス駆動モータの音が混入し、雑音となる可能性が高いため、動画データ撮像中は多くの場合メカ駆動を禁止していた。
【０００３】
又、動画撮影を終了する場合に多くはメカスイッチ入力をトリガーとしているが、メカスイッチ入力の音が音声として混入してしまうために、実際に記録されるデータはスイッチよりもやや早く終了してしまうという問題があった。
【０００４】
【発明が解決しようとする課題】
このような動画データ作成システムにおいて、音声入力デバイスが装備されている機種、されていない機種を同時に開発・発売する際には機種毎のカスタマイズ作業が不可欠であり、開発負荷の増大を招いていた。又、過去の機種が音声データ付きの動画データ再生にしか対応していない場合、音声データ無し動画データを過去の機種では再生出来ないという問題も発生する。
【０００５】
更に、音声入力デバイスが装備されていない機種で撮影した動画データを、ＰＣ等の音声出力デバイスの装備されている動画再生装置で再生する場合には、再生中ずっと無音状態が続き味気なかった。
【０００６】
又、動画入力中にズーミングができない等の不便さがあった。
【０００７】
本発明は上記問題に鑑みてなされたもので、その目的とする処は、音声入力デバイスの装備されていない機種において、汎用性の高い動画データ作成システムを開発負荷の増大を抑えつつ製作することができる画像撮像装置を提供することにある。
【０００８】
【課題を解決するための手段】
上記目的を達成するため、本発明は、撮像した動画データを記録媒体に記録することが可能な画像撮像装置であって、撮像手段と、制御手段と、揮発性メモリと、前記撮像手段にて撮像した動画像データを所定の音声データと組み合わせた動画データを前記揮発性メモリ上に作成する機能を有し、前記揮発性メモリに記憶されたデータを着脱可能若しくは内蔵の不揮発性メモリに転送して保存記録するデータ記録手段を有することを特徴とする。
【０００９】
【発明の実施の形態】
以下に本発明の実施の形態を添付図面に基づいて説明する。
【００１０】
＜実施の形態１＞
図１は本発明の実施の形態の構成を示す図である。
【００１１】
図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１２】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或はメモリ制御回路２２からのデータに対して所定の画素補間処理や色変換処理を行う。
【００１４】
又、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１５】
更に、画像処理回路２０においては、撮像した画像データを用いて所定の演算処理を行い、得られた演算結果に基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１７】
Ａ／Ｄ変換器１６のデータが画像処理回路２０、メモリ制御回路２２を介して、或はＡ／Ｄ変換器１６のデータが直接メモリ制御回路２２を介して、画像表示メモリ２４或はメモリ３０に書き込まれる。
【００１８】
２４は画像表示メモリ、２６はＤ／Ａ変換器、２７はＤ／Ａ変換器２６の出力を外部モニタに出力するコネクタである。外部主力コネクタ２７にコネクタが挿されている場合は外部出力接続検知手段１０８によりシステム制御回路５０は外部出力状態を知ることができる。
【００１９】
２８はＴＦＬ　ＬＣＤ等から成る画像表示部であり、画像表示メモリ２４に書き込まれた表示用の画像データはＤ／Ａ変換器２６を介して画像表示部２８により表示される。
【００２０】
画像表示部２８を用いて撮像した画像データを逐次表示すれば、電子ファインダー機能を実現することが可能である。
【００２１】
又、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００２２】
更に、画像表示部２８は、回転可能なヒンジ部によって画像処理装置１００本体と結合されており、自由な向き、角度を設定して電子ファインダー機能や再生表示機能、各種表示機能を使用することが可能である。
【００２３】
又、画像表示部２８の表示部分を画像処理装置１００に向けて格納することが可能であり、この場合は画像表示部開閉検知手段１０６により、格納状態を検知して画像表示部２８の表示動作を停止することができる。
【００２４】
３０は撮影した静止画像や動画像を格納するためのメモリであり、所定枚数の静止画像や所定時間の動画像を格納するのに十分な記憶量を備えている。
【００２５】
これにより、複数枚の静止画像を連続して撮影する連射撮影やパノラマ撮影の場合にも、高速且つ大量の画像書き込みをメモリ３０に対して行うことが可能となる。
【００２６】
又、メモリ３０はシステム制御回路５０の作業領域としても使用することが可能である。メモリ３０は、記録媒体２００や２１０の書き込みバッファとしても使われる。
【００２７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２８】
４０は絞り機能を備えるシャッター１２を制御する露光制御手段であり、フラッシュ４８と連携することによりフラッシュ調光機能も有するものである。
【００２９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３０】
４８はフラッシュであり、ＡＦ補助光の投光機能、フラッシュ調光機能も有する。
【００３１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３２】
５０は画像処理装置１００全体を制御するシステム制御回路、５２はシステム制御回路５０の動作用の定数、変数、プログラム等を記憶するメモリである。
【００３３】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或は複数個所設置され、例えばＬＣＤやＬＥＤ、発音素子等の組み合わせにより構成されている。
【００３４】
又、表示部５４は、その一部の機能が光学ファインダー１０４内に設置されている。
【００３５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００３６】
又、表示部５４の表示内容のうち、光学ファインダー１０４内に表示するものとしては、合焦表示、手振れ警告表示、フラッシュ充電表示、シャッタースピード表示、絞り値表示、露出補正表示等がある。
【００３７】
５６は電気的に消去・記録可能な不揮発性メモリであり、例えばＥＥＰＲＯＭ等が用いられる。
【００３８】
５８は記録媒体２００や２１０のデータ記録速度や、取得するデータのデータレートを測定するために使われるタイマである。
【００３９】
６０，６２，６４，６６，６８及び７０はシステム制御回路５０の各種の動作指示を入力するための操作手段であり、スイッチやダイアル、タッチパネル、視線検知によるポインティング、音声認識装置等の単数或いは複数の組み合わせで構成される。
【００４０】
ここで、これらの操作手段の具体的な説明を行う。
【００４１】
６０はモードダイアルスイッチで、電源オフ、自動撮影モード、撮影モード（パノラマ撮影モード、動画撮影モード含む）、再生モード、マルチ画面再生・消去モード、ＰＣ接続モード等の各機能モードを切り替え設定することができる。
【００４２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４３】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或は２１０に画像データを書き込む記録処理という一連の処理の動作開始を指示する。又、動画撮影の場合は動画撮影の開始・停止を指示する。
【００４４】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ　ＬＣＤ等から成る画像表示部への電流供給を遮断することにより、省電力を図ることが可能となる。
【００４５】
６８はクイックレビューＯＮ／ＯＦＦスイッチで、撮影直後に撮影した画像データを自動再生するクイックレビュー機能を設定する。尚、本実施の形態では、特に画像表示部２８をＯＦＦとした場合におけるクイックレビュー機能の設定をする機能を備えるものとする。
【００４６】
７０は各種ボタンやタッチパネル等から成る操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４７】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等から成る電源手段である。
【００４９】
９０及び９４はメモリカードやハードディスク等の記録媒体とのインタフェース、９２及び９６はメモリカードやハードディスク等の記録媒体と接続を行うコネクタ、９８はコネクタ９２及び或は９６に記録媒体２００或は２１０が装着されているか否かを検知する記録媒体着脱検知手段である。
【００５０】
尚、本実施の形態では、記録媒体を取り付けるインターフェース及びコネクタを２系統持つものとして説明している。勿論、記録媒体を取り付けるインターフェース及びコネクタは、単数或は複数、何れの系統数を備える構成としても構わない。又、異なる規格のインターフェース及びコネクタを組み合わせて備える構成としても構わない。
【００５１】
インターフェース及びコネクタとしては、ＰＣＭＣＩＡカードやＣＦ（コンパクトフラッシュ）カード等の規格に準拠したものを用いて構成して構わない。
【００５２】
更に、インタフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００５３】
１０２は画像処理装置１００のレンズ１０を含む撮像部を覆うことにより、撮像部の汚れや破損を防止するバリアである保護手段である。
【００５４】
１０４は光学ファインダであり、画像表示部２８による電子ファインダー機能を使用すること無しに、光学ファインダのみを用いて撮影を行うことが可能である。又、光学ファインダー１０４内には、表示部５４の一部の機能、例えば、合焦表示、手振れ警告表示、フラッシュ充電表示、シャッタースピード表示、絞り値表示、露出補正表示等が設置されている。
【００５５】
１０６は画像表示部開閉検知手段であり、画像表示部２８が、画像表示部２８の表示部分を画像処理装置１００に向けて格納した格納状態にあるかどうかを検知することができる。
【００５６】
ここで、格納状態にあると検知したならば画像表示部２８の表示動作を停止して不要な電力消費を禁止することが可能である。
【００５７】
１０８は外部出力コネクタ接続検知手段であり、外部出力コネクタ２７に外部モニタが接続されているかどうかを検知することができる。ここで、接続状態にあると検知したならば画像表示部２８の代わりに外部モニタを表示装置として用いることが可能である。
【００５８】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５９】
１１２は通信手段１１０により画像処理装置１００を他の機器と接続するコネクタ或は無線通信の場合はアンテナである。
【００６０】
２００はメモリカードやハードディスク等の記録媒体である。この記録媒体２００は、半導体メモリや磁気ディスク等から構成される記録部２０２、画像処理装置１００とのインタフェース２０４、画像処理装置１００と接続を行うコネクタ２０６を備えている。
【００６１】
又、この記録媒体２００がＰＣＭＣＩＡ規格のＰＣ−ＣａｒｄやＣｏｍｐａｃｔＦｌａｓｈ等の場合は、性能が記されている情報記憶回路を内蔵していることもある。
【００６２】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００６３】
又、この記録媒体２１０がＰＣＭＣＩＡ規格のＰＣ−ＣａｒｄやＣｏｍｐａｃｔＦｌａｓｈ等の場合は、性能が記されている情報記憶回路を内蔵していることもある。
【００６４】
図２〜図１０を参照して本発明の実施の形態１の動作を説明する。
【００６５】
図２及び図３は本実施の形態に係る画像処理装置１００の主ルーチンのフローチャートを示す。
【００６６】
図２及び図３を用いて画像処理装置１００の動作を説明する。
【００６７】
電池交換やモードダイアル操作等の電源投入により、システム制御回路５０はフラグや制御変数等を初期化し（Ｓ１０１）、画像表示部２８の画像表示をＯＦＦ状態に初期設定する（Ｓ１０２）。そして、記録媒体２００／２１０のデータ記録速度を取得する（Ｓ１０３）。Ｓ１０３のデータ記録速度取得は、このように電源投入後すぐに行っても良いし、記録媒体の認識後に行っても良いし、又、後（Ｓ１１４〜Ｓ１１６）に述べるように、該データ記録装置の負荷が軽い時に行っても良い。このデータ記録速度取得処理Ｓ０３の詳細は図８を用いて後述する。
【００６８】
システム制御回路５０は、モードダイアル６０の設定位置を判断（Ｓ１１１）し、モードダイアル６０が電源ＯＦＦに設定されていたならば、各表示部の表示を終了状態に変更し、保護手段１０２のバリアを閉じて撮像部を保護し、フラグや制御変数等を含む必要なパラメータや設定値、設定モード、記録媒体のデータ記録速度、動作モード毎の取得データレート等を不揮発性メモリ５６に記録し、電源制御手段８０により画像表示部２８を含む画像処理装置１００各部の不要な電源を遮断する等の所定の終了処理を行った後、シャットダウンする（Ｓ１１２）。
【００６９】
モードダイアル６０が撮影モードに設定されていたならば（Ｓ１１１）、Ｓ１１４に進む。
【００７０】
モードダイアル６０がその他のモードに設定されていたならば（Ｓ１１１）、システム制御回路５０は選択されたモードに応じた処理を実行し（Ｓ１１３）、処理を終えたならばＳ１１１に戻る。
【００７１】
システム制御回路５０は、記録媒体２００／２１０のデータ記録速度を取得（Ｓ１１４）し、動画モードの場合は動画データのデータレートを、録音モードの場合は音声データのデータレートを取得（Ｓ１１５）し、動画モード又は音声データの場合は、記録可能時間を表示する（Ｓ１１６）。記録媒体のデータ記録速度の測定は、初期化の時に行っていれば必要はなく、又、Ｓ１１４〜Ｓ１１６で行ったようにデータ記録装置の負荷が軽い時に行う場合も、１回求めれば後は何度も求める必要はない。
【００７２】
このデータ記録速度取得処理Ｓ４１０の詳細は図８を用いて、動画データレート取得処理Ｓ４１１の詳細は図９を用いて、記録可能時間表示処理Ｓ４１２の詳細は図１０を用いて後述する。
【００７３】
システム制御回路５０は、電源制御手段８０により電池等により構成される電源８６の残容量や動作情況が画像処理装置１００の動作に問題があるか否かを判断し（Ｓ１２１）、問題があるならば表示部５４を用いて画像や音声により所定の警告表示を行った後に（Ｓ１２３）、Ｓ１１１に戻る。
【００７４】
電源８６に問題がないならば（Ｓ１２１）、システム制御回路５０は記録媒体２００或は２１０の動作状態が画像処理装置１００の動作、特に記録媒体に対する画像データの記録再生動作に問題があるか否かを判断し（Ｓ１２２）、問題があるならば表示部５４を用いて画像や音声により所定の警告表示を行った後に（Ｓ１２３）、Ｓ１１１に戻る。
【００７５】
記録媒体２００或は２１０の動作状態に問題がないならば（Ｓ１２２）、表示部５４を用いて画像や音声により画像処理装置１００の各種設定状態の表示を行う（Ｓ１３１）。尚、画像表示部２８の画像表示がＯＮであったならば、画像表示部２８も用いて画像や音声により画像処理装置１００の各種設定状態の表示を行う。
【００７６】
システム制御回路５０は、クイックレビューＯＮ／ＯＦＦスイッチ６８の設定状態を調べ（Ｓ１３２）、クイックレビューＯＮに設定されていたならばクイックレビューフラグを設定し（Ｓ１３３）、クイックレビューＯＦＦに設定されていたならばクイックレビューフラグを解除する（Ｓ１３４）。
【００７７】
尚、クイックレビューフラグの状態は、システム制御回路５０の内部メモリ或いはメモリ５２に記憶する。
【００７８】
続いて、システム制御回路５０は、画像表示ＯＮ／ＯＦＦスイッチ６６の設定状態を調べ（Ｓ１３５）、画像表示ＯＮに設定されていたならば、画像表示フラグを設定すると共に（Ｓ１３６）、画像表示部２８の画像表示をＯＮ状態に設定し（Ｓ１３７）、更に撮像した画像データを逐次表示するスルー表示状態に設定して（Ｓ１３８）、Ｓ１５１に進む。
【００７９】
スルー表示状態においては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００８０】
画像表示ＯＮ／ＯＦＦスイッチ６６が画像表示ＯＦＦに設定されていたならば（Ｓ１３５）、画像表示フラグを解除すると共に（Ｓ１３９）、画像表示部２８の画像表示をＯＦＦ状態に設定して（Ｓ１４０）、Ｓ１５１に進む。
【００８１】
画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【００８２】
尚、画像表示フラグの状態は、システム制御回路５０の内部メモリ或はメモリ５２に記憶する。
【００８３】
シャッタースイッチＳＷ１が押されていないならば（Ｓ１５１）、Ｓ１１１に戻る。
【００８４】
シャッタースイッチＳＷ１が押されたならば（Ｓ１５１）、撮影可能条件が満たされているかチェックし（Ｓ１５２）、条件が満たされていなければＳ１１１に戻り、満たされていたらＳ１５３に進む。
【００８５】
システム制御回路５０はシステム制御回路５０の内部メモリ或はメモリ５２に記憶される画像表示フラグの状態を判断し（Ｓ１５３）、画像表示フラグが設定されていたならば画像表示部２８の表示状態をフリーズ表示状態に設定して（Ｓ１５４）、Ｓ１５５に進む。
【００８６】
フリーズ表示状態においては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００８７】
画像表示フラグが解除されていたならば（Ｓ１５３）、Ｓ１５５に進む。
【００８８】
システム制御回路５０は、測距処理を行って撮影レンズ１０の焦点を被写体に合わせ、測光処理を行って絞り値及びシャッター時間を決定する（Ｓ１５５）。測光処理において、必要であればフラッシュの設定も行う。この測距・測光処理Ｓ１５５の詳細は図４を用いて後述する。
【００８９】
測距・測光処理Ｓ１５５を終えたならば、システム制御回路５０はシステム制御回路５０の内部メモリ或はメモリ５２に記憶される画像表示フラグの状態を判断し（Ｓ１５６）、画像表示フラグが設定されていたならば画像表示部２８の表示状態をスルー表示状態に設定して（Ｓ１５７）、Ｓ１５８に進む。尚、Ｓ１５７でのスルー表示状態は、Ｓ１３８でのスルー状態と同じ動作状態である。
【００９０】
シャッタースイッチＳＷ２が押されずに（Ｓ１５８）、更にシャッタースイッチＳＷ１も解除されたならば（Ｓ１５９）、Ｓ１１１に戻る。
【００９１】
シャッタースイッチＳＷ２が押されたならば（Ｓ１５８）、システム制御回路５０はシステム制御回路５０の内部メモリ或はメモリ５２に記憶される画像表示フラグの状態を判断し（Ｓ１６０）、画像表示フラグが設定されていたならば画像表示部２８の表示状態を固定色表示状態に設定して（Ｓ１６１）、Ｓ１６２に進む。
【００９２】
固定色表示状態においては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００９３】
画像表示フラグが解除されていたならば（Ｓ１６０）、Ｓ１６２に進む。
【００９４】
システム制御回路５０は、撮像素子１２、Ａ／Ｄ変換器１６、画像処理回路２０、メモリ制御回路２２を介して、或はＡ／Ｄ変換器から直接メモリ制御回路２２を介して、メモリ３０に撮影した画像データを書き込む露光処理及びメモリ制御回路２２そして必要に応じて画像処理回路２０を用いて、メモリ３０に書き込まれた画像データを読み出して各種処理を行う現像処理から成る撮影処理を実行し、記録媒体２００或は２１０に記録する（Ｓ１６２）。この撮影＆記録処理Ｓ１６２の詳細は撮影モード毎に図５及び図６を用いて後述する。
【００９５】
撮影＆記録処理Ｓ１６２が終了した際に、シャッタースイッチＳＷ２が押された状態であったならば（Ｓ１６３）、システム制御回路５０はシステム制御回路５０の内部メモリ或はメモリ５２に記憶される連写フラグの状態を判断し（Ｓ１６４）、連写フラグが設定されていたならば、連続して撮影を行うためにＳ１６２に戻り、次の撮影を行う。
【００９６】
連写フラグが設定されていないならば（Ｓ１６４）、シャッタースイッチＳＷ２が放されるまで（Ｓ１６３）、現在の処理を繰り返す。
【００９７】
撮影＆記録処理Ｓ１６２が終了した際にシャッタースイッチＳＷ２が放された状態であった、或は、シャッタースイッチＳＷ２を押し続けてクイックレビュー表示を継続して撮影画像の確認を行った後にシャッタースイッチＳＷ２を放した状態であったならば（Ｓ１６３）、所定のミニマムレビュー時間が経過した後にＳ１６６に進む（Ｓ１６５）。
【００９８】
システム制御回路５０は、画像表示フラグが設定されていたならば（Ｓ１６６）、画像表示部２８の表示状態をスルー表示状態に設定して（Ｓ１６７）、Ｓ１６９に進む。この場合、画像表示部２８でのクイックレビュー表示によって撮影画像を確認した後に、次の撮影のために撮像した画像データを逐次表示するスルー表示状態にすることができる。
【００９９】
画像表示フラグが解除されていたならば（Ｓ１６６）、画像表示部２８の画像表示をＯＦＦ状態に設定して（Ｓ１６８）、Ｓ１６９に進む。
【０１００】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１０１】
シャッタースイッチＳＷ１が押された状態であったならば（Ｓ１６９）、システム制御回路５０は、Ｓ１５８に戻って次の撮影に備える。
【０１０２】
シャッタースイッチＳＷ１が放された状態であったならば（Ｓ１６９）、システム制御回路５０は、一連の撮影動作を終えてＳ１１１に戻る。
【０１０３】
図４は図３のＳ１５５における測距・測光処理の詳細なフローチャートを示す。
【０１０４】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１０５】
尚、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１０６】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１０７】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１０８】
露出（ＡＥ）が適正と判断したならば（Ｓ２０２）、測定データ及び或は設定パラメータをシステム制御回路５０の内部メモリ或はメモリ５２に記憶する。
【０１０９】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１１０】
ホワイトバランス（ＡＷＢ）が適正と判断したならば（Ｓ２０６）、測定データ及び或は設定パラメータをシステム制御回路５０の内部メモリ或はメモリ５２に記憶する。
【０１１１】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１１２】
測距（ＡＦ）が合焦と判断したならば（Ｓ２０８）、測定データ及び或は設定パラメータをシステム制御回路５０の内部メモリ或はメモリ５２に記憶し、測距・測光処理ルーチンＳ１２２を終了する。
【０１１３】
図５は通常撮影モードでの図３のＳ１６２における撮影処理の詳細なフローチャートを示す。
【０１１４】
システム制御回路５０はモードダイアル６０を調べ、通常撮影モードの場合はＳ３０１へ行く（Ｓ１６２）。
【０１１５】
システム制御回路５０は、システム制御回路５０の内部メモリ或はメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１１６】
フラッシュ・フラグによりフラッシュ４８が必要か否かを判断し（Ｓ３０３）、必要な場合はフラッシュを発光させる（Ｓ３０４）。
【０１１７】
システム制御回路５０は、測光データに従って撮像素子１４の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或はＡ／Ｄ変換器１６から直接メモリ制御回路２２を介して、メモリ３０に撮影画像のデータを書き込む（Ｓ３０７）。
【０１１８】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１１９】
システム制御回路５０は、メモリ３０から画像データを読み出し、メモリ制御回路２２を介して画像表示メモリ２４に表示画像データの転送を行う（Ｓ３１１）。
【０１２０】
システム制御回路５０は、システム制御回路５０の内部メモリ或はメモリ５２に記憶される画像表示フラグの状態を判断し（Ｓ３１２）、画像表示フラグが設定されていたならばクイックレビュー表示を行う（Ｓ３１５）。この場合は、撮影中も画像表示部２８が電子ファインダーとして常に表示された状態であり、撮影直後のクイックレビュー表示も行われる。
【０１２１】
画像表示フラグが解除されていたならば（Ｓ３１２）、システム制御回路５０の内部メモリ或はメモリ５２に記憶されるクイックレビューフラグの状態を判断し（Ｓ３１３）、クイックレビューフラグが設定されていたならば、画像表示部２８の画像表示をＯＮ状態に設定し（Ｓ３１４）、クイックレビュー表示を行う（Ｓ３１５）。
【０１２２】
画像表示フラグが解除され（Ｓ３１２）、クイックレビューフラグも解除されていたならば（Ｓ３１３）、画像表示部２８がＯＦＦの状態のままＳ３１６に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０１２３】
システム制御回路５０は、メモリ３０に書き込まれた撮影画像データを読み出して、メモリ制御回路２２そして必要に応じて画像処理回路２０を用いて各種画像処理（Ｓ３１６）を、又、圧縮・伸長回路３２を用いて設定したモードに応じた画像圧縮処理（Ｓ３１７）を行った後、記録媒体２００或は２１０へ画像データの書き込みを行う記録処理を実行する（Ｓ３１８）。
【０１２４】
図６は動画撮影モードでの図３のＳ１６２における撮影処理の詳細なフローチャートを示す。
【０１２５】
システム制御回路５０はモードダイアル６０を調べ、動画撮影モードの場合はＳ４０１へ行く（Ｓ１６２）。
【０１２６】
ユーザーがシャッタースイッチ６４によって動画撮影の終了を指示した場合は動画撮影終了処理を行うためにＳ４１３へ行く（Ｓ４０１）。ユーザーが動画撮影の終了を指示しなかった場合はＳ４０２へ行く（Ｓ４０１）。
【０１２７】
動画像データ撮影動作によって得られた画像データが規定枚数に達したとシステム制御回路５０が判断した場合は（Ｓ４０２）、音声データを作成し、メモリ３０に用意された動画ファイル用書き込みバッファに音声データを書き込む（Ｓ４０３）。この音声データ作成処理Ｓ４０３の詳細は図７を用いて後述する。
【０１２８】
撮像素子１４、Ａ／Ｄ変換機１６、画像処理回路２０、メモリ制御回路２２を介して得られた画像データを圧縮伸長回路３２で逐次データ圧縮し、メモリ３０に書き込む一連の動画像データ撮影動作によって得られた画像データが１枚でも存在するとシステム制御回路５０が判断した場合は（Ｓ４０４）、所定の動画フォーマットに沿うように画像データを整形し、メモリ３０に用意された動画ファイル用書き込みバッファに整形された画像データを書き込む（Ｓ４０５）。
【０１２９】
システム制御回路５０は、所定の転送単位分の動画データがメモリ３０に用意されている書き込みバッファに取得されている場合（Ｓ４０６）、その所定量に達した取得データを記録媒体に転送する（Ｓ４０７）。
【０１３０】
システム制御回路５０は、メモリ３０に用意されている書き込みバッファの空き容量及び記録中の記録媒体２００又は２１０の空き容量を調べ（Ｓ４０８）、どちらかが規定量に足りない場合はバッファに残っている動画データを全て記録中の記録媒体２００又は２１０に転送し（Ｓ４０９）、終了処理Ｓ４１３に行く。
【０１３１】
書き込みバッファの空き容量及び記録媒体の空き容量の両方が規定量以上ある場合は（Ｓ４０８）、データ記録速度を取得し（Ｓ４１０）、動画データレートを取得し（Ｓ４１１）、取得したデータ記録速度及び動画データレートより記録可能時間を表示する（Ｓ４１２）。
【０１３２】
このデータ記録速度取得処理Ｓ４１０の詳細は図８を用いて、動画データレート取得処理Ｓ４１１の詳細は図９を用いて、記録可能時間表示処理Ｓ４１２の詳細は図１０を用いて後述する。
【０１３３】
Ｓ４１２の処理が終わると、Ｓ４０１に戻る。
【０１３４】
終了処理Ｓ４１３では、システム制御回路５０は、撮影終了後でなければ更新できない値（総撮影時間、総フレーム数、ｉｎｄｅｘ領域等）を画像ファイルに書き込み、動画ファイルを整形する。
【０１３５】
動画ファイルの整形（Ｓ４１３）後、戻る。
【０１３６】
図７は、動画撮影処理を示した図６のＳ４０３における音声データ作成処理の詳細なフローチャートを示す。
【０１３７】
システム制御回路５０は、システム制御回路５０の内部メモリ或はメモリ５２に記憶される音声データ作成設定の状態を判断し（Ｓ５０１）、無音の音声データを作成する場合は中間値１２８（音声１サンプルのデータが８ｂｉｔの場合、０〜２５５の中間値は１２８）になるように音声データを作成し（Ｓ５０２）、Ｓ５０５へ行く。
【０１３８】
無音の音声データを作成しない場合（Ｓ５０１）は、不揮発性メモリ５６もしくは記録媒体２００または２１０に記憶されている音声データを読み込み（Ｓ５０３）、読み込んだ音声データで音声データを作成し（Ｓ５０４）、Ｓ５０５へ行く。
【０１３９】
システム制御回路５０は、所定の動画フォーマットに沿うように音声データを整形し、メモリ３０に用意された動画ファイル用書き込みバッファに整形された音声データを書き込む（Ｓ５０５）。
【０１４０】
図８は図２のＳ１０３及びＳ１１４、図６のＳ４１０におけるデータ記録速度取得処理の詳細なフローチャートを示す。
【０１４１】
システム制御回路５０はインタフェース９０及び９４を調査することで記録媒体２００及び２１０が取り替えられているかを検知し（Ｓ６０１）、メディアが取り替えられていないならば直前に取得したデータ記録速度情報を得（Ｓ６０２）、その後Ｓ６０５へ行く。メディアが取り替えられていたならば（Ｓ６０１）、Ｓ６０３へ行く。
【０１４２】
システム制御回路５０は記録媒体２００又は２１０のメディア内情報記録回路を調べ（Ｓ６０３）、以前に調査したことのあるメディアであったならば以前調査し取得したデータ記録速度情報を得（Ｓ６０４）、Ｓ６０５へ行く。過去に調査したことのないメディアであっても（Ｓ６０３）、Ｓ６０５へ行く。
【０１４３】
システム制御回路５０は記録媒体２００又は２１０のメディア内情報記録回路を調べ、性能記述部分からデータ記録速度情報を得る（Ｓ６０５）。その後、Ｓ６０６へ行く。
【０１４４】
システム制御回路５０は、現在記録媒体２００又は２１０にデータを記録中であるかどうかを調べ（Ｓ６０６）、現在記録中であったならばタイマ５８で単位時間を測り、その単位時間内での記録データ量でデータ記録速度を測定し（Ｓ６０７）、Ｓ６１３へ行く。
【０１４５】
Ｓ６０７で、“タイマ５８で単位時間を測り、その単位時間内での記録データ量でデータ記録速度を測定する”としたが、“所定データ量を記録する時間をタイマ５８で測り、その記録時間でデータ記録速度を測定する”としても良い。
【０１４６】
現在記録媒体にデータ記録中でなかったならば（Ｓ６０６）、Ｓ６０８へ行く。
【０１４７】
システム制御回路５０は、現在インタフェース９０又は９４に接続されている記録媒体２００又は２１０のデータ記録速度を実測したことがあれば（Ｓ６０８）、以前調査したデータ記録速度情報を得（Ｓ６０９）、Ｓ６１３へ行く。
【０１４８】
データ記録速度を未だ実測した事が無ければ（Ｓ６０８）、所定量の基準データを記録媒体に書き込む時間をタイマ５８で測定するベンチマークテストを行ってデータ記録速度を得（Ｓ６１０）、Ｓ６１３へ行く。
【０１４９】
システム制御回路５０は、取得したデータ記録速度のうち最も遅いものを調査した記録媒体のデータ記録速度とする（Ｓ６１３）。
【０１５０】
図９は図２のＳ１１５、図６のＳ４１１における取得データレート検出処理の詳細なフローチャートを示す。
【０１５１】
システム制御回路５０はモードダイアル６０及び不揮発性メモリ５６を調べ、現動作モードでのデータレートの規定値が用意されているかどうか調べ（Ｓ７０１）、規定値が用意されている場合はその値を現動作モードでのデータレートとして得（Ｓ７０２）、Ｓ７０３へ行く。規定値が用意されていない場合（Ｓ７０１）は直前に調べたデータレートを現動作モードでのデータレートとして得（Ｓ７０３）、Ｓ７０４へ行く。
【０１５２】
システム制御回路５０は、現在メモリ３０に用意された書き込みバッファにデータを取得中であるかどうかを調べ（Ｓ７０４）、取得中ならばタイマ５８で単位時間を測り、その単位時間内での取得データ量で取得データレートを測定し（Ｓ７０５）、Ｓ７０６へ行く。
【０１５３】
Ｓ７０５で、“タイマ５８で単位時間を測り、その単位時間内での取得データ量で取得データレートを測定する”としたが、“所定データ量を取得する時間をタイマ５８で測り、その取得時間で取得データレートを測定する”としても良い。
【０１５４】
現在書き込みバッファにデータ取得中でなかったならば（Ｓ７０４）、Ｓ７０６へ行く。
【０１５５】
システム制御回路５０は、検出した取得データレートのうち最も速いものを取得データレートとする（Ｓ７０６）。
【０１５６】
図１０は図２のＳ１１６、図６のＳ４１３における記録可能時間表示処理の詳細なフローチャートを示す。
【０１５７】
システム制御回路５０は記録媒体２００又は２１０の空き容量と図９の方法にて取得したデータレートから、以下の計算により記録可能時間＃１を得（Ｓ８０１）、Ｓ８０２へ行く。
【０１５８】
記録可能時間＃１＝　記録媒体空き容量／データレート
システム制御回路５０は図８の方法にて取得したデータ記録速度と図９の方法にて取得したデータレートを比べ（Ｓ８０２）、データレートの方が大きければＳ８０３へ、そうでなければ記録可能時間＃２＝∞として（Ｓ８０４）、Ｓ８０５へ行く。
【０１５９】
システム制御回路５０は図８の方法にて取得したデータ記録速度、図９の方法にて取得したデータレート、メモリ３０の書き込みバッファの空き容量から、以下の計算により記録可能時間＃２を得（Ｓ８０３）、Ｓ８０５へ行く。
記録可能時間＃２＝書き込みバッファ空き容量／（データレート−記録速度）
システム制御回路は、計算された記録可能時間＃１と＃２を比べ（Ｓ８０５）、記録可能時間＃１が小さければ記録可能時間＃１を画像表示部２８又は液晶表示部５４に表示し（Ｓ８０６）、そうでなければ記録可能時間＃２を画像表示部２８又は液晶表示部５４に表示する（Ｓ８０７）。Ｓ８０６又はＳ８０７の処理の後、戻る。
【０１６０】
図１１を参照して実施の形態１の説明を行う。
【０１６１】
図１の表示部５４及び操作部７０を使用して、ユーザーが音声データを選択可能なカメラにおいて、撮影準備（Ｓ１１０１）に入ったら、先ず音声データを音声入力デバイスから入力されたもの（以下、マイクデータ）を使用するか否かを判断（Ｓ１１０２）し、使用する場合には音声データをマイクデータと決定する（Ｓ１１０８）。その際に音声入力デバイスのマイクが内蔵であるか外付けであるかを判断し（Ｓ１１１１）、内蔵である場合は図１の４４のズーム制御を禁止する（Ｓ１１０９）。更に、その場合は開始のスイッチの音等をデータに入れてしまう等の心配がないために、データ保存開始のトリガーを早くする（Ｓ１１１２）。外付けの場合はマイクの距離がカメラ本体から遠いため、ズーム駆動の音が雑音として拾われないであろうためズームの制御を許可する（Ｓ１１０７）。
【０１６２】
マイクデータを使用しない場合には、音声データはＢＧＭを使用することが選択されているかどうかを判断し（Ｓ１１０３）、選択されている場合にはＢＧＭデータが着脱可能な外部メモリ或は内蔵メモリに存在するか否かを判断し（Ｓ１１０５）、存在する場合には音声データとしてＢＧＭデータを使用する（Ｓ１１０６）。音声データとしてＢＧＭが選択されていない場合、或はＢＧＭデータが存在しない場合には、音声データとして無音データを選択する（Ｓ１１０４）。
【０１６３】
音声データとしてＢＧＭを使用する或は無音データを使用するの何れの場合でも、光学ズームを許可し（Ｓ１１０７）、撮影を開始する。
【０１６４】
＜実施の形態２＞
図１２を参照して本発明の実施の形態２の説明を行う。
【０１６５】
撮影を開始して（Ｓ１２０１）、撮影中に光学ズーム駆動ボタンの入力を監視し（Ｓ１２０２）、検知された場合には光学ズームが許可されているか否かを判断し（Ｓ１２０４）、されている場合には実際にズーム動作を行い（Ｓ１２０５）、されていない場合には何もしない。撮影終了の命令（Ｓ１２０３）がくるまで上記を繰り返す。撮影終了命令が来た場合には、音声データがマイクデータかどうかを判断し（Ｓ１２０６）、音声データがマイクデータだった場合には終了ボタンを押し下げした音を保存データに入れないために、保存データの最後の部分をカットして（Ｓ１２０７）、データを保存し（Ｓ１２０８）、撮影を終了する（Ｓ１２０９）。
【０１６６】
以上、本発明の実施の形態の説明を行った。
【０１６７】
尚、実施の形態の説明においては、記録媒体２００及び２１０は、ＰＣＭＣＩＡカードやコンパクトフラッシュ等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題ない。
【０１６８】
又、記録媒体２００及び２１０がメモリカードとハードディスク等が一体となった複合媒体であっても勿論問題ない。更に、その複合媒体から一部が着脱可能な構成としても勿論問題ない。
【０１６９】
そして、実施の形態の説明においては、記録媒体２００及び２１０は画像処理装置１００と分離していて任意に接続可能なものとして説明したが、何れ或は全ての記録媒体が画像処理装置１００に固定したままとなっていても勿論問題ない。
【０１７０】
又、画像処理装置１００に記録媒体２００或は２１０が単数或は複数の任意の個数接続可能な構成であっても構わない。
【０１７１】
そして、画像処理装置１００に記録媒体２００及び２１０が装着する構成として説明したが、記録媒体は単数或は複数の何れの組み合わせの構成であっても、勿論問題ない。
【０１７２】
又、本実施の形態においては、音声データをマイクデータとした場合に例として光学ズームを禁止にしているが、これがフォーカスや絞り駆動等の音の出るメカ駆動を禁止とする場合も当然あり得る。
【０１７３】
【発明の効果】
以上の説明で明らかなように、本発明によれば、音声入力デバイスの装備されていない機種において、汎用性の高い動画データ作成システムを開発負荷の増大を抑えつつ製作することができる。
【０１７４】
又、音声入力デバイスが装備されている・いないに拘らず、動画データに使用者の望む音声データをＢＧＭとして付加することが可能となる。
【０１７５】
更に、動画撮影時にズーム駆動が可能になる等、選択の幅を広げることが可能である。
【図面の簡単な説明】
【図１】本発明の実施の形態の構成ブロック図である。
【図２】本発明の実施の形態の主ルーチンのフローチャートである。
【図３】本発明の実施の形態の主ルーチンのフローチャートである。
【図４】本発明の実施の形態の測距・測光ルーチンのフローチャートである。
【図５】本発明の実施の形態の通常撮影ルーチンのフローチャートである。
【図６】本発明の実施の形態の動画撮影ルーチンのフローチャートである。
【図７】本発明の実施の形態の音声データ作成ルーチンのフローチャートである。
【図８】本発明の実施の形態のデータ記録速度検出ルーチンのフローチャートである。
【図９】本発明の実施の形態の取得データレート検出ルーチンのフローチャートである。
【図１０】本発明の実施の形態の記録可能時間表示ルーチンのフローチャートである。
【図１１】本発明の実施の形態の動画撮影開始時のフローチャートである。
【図１２】本発明の実施の形態の動画撮影終了時のフローチャートである。
【符号の説明】
１０　　　撮影レンズ
１２　　　シャッター
１４　　　撮像素子
１６　　　Ａ／Ｄ変換器
１８　　　タイミング発生回路
２０　　　画像処理回路
２２　　　メモリ制御回路
２４　　　画像表示メモリ
２６　　　Ｄ／Ａ変換器
２７　　　外部出力コネクタ
２８　　　画像表示部
３０　　　メモリ
３２　　　画像圧縮・伸長回路
４０　　　露光制御手段
４２　　　測距制御手段
４４　　　ズーム制御手段
４６　　　バリア制御手段
４８　　　フラッシュ
５０　　　システム制御回路
５２　　　メモリ
５４　　　表示部
５６　　　不揮発性メモリ
５８　　　タイマ
６０　　　モードダイアルスイッチ
６２　　　シャッタースイッチＳＷ１
６４　　　シャッタースイッチＳＷ２
６６　　　画像表示ＯＮ／ＯＦＦスイッチ
６８　　　クイックレビューＯＮ／ＯＦＦスイッチ
７０　　　操作部
８０　　　電源制御手段
８２　　　コネクタ
８４　　　コネクタ
８６　　　電源手段
９０　　　インタフェース
９２　　　コネクタ
９４　　　インタフェース
９６　　　コネクタ
９８　　　記録媒体着脱検知手段
１００　　画像処理装置
１０２　　保護手段
１０４　　光学ファインダ
１０８　　外部出力コネクタ接続検知器
１１０　　通信手段
１１２　　コネクタ（又はアンテナ）
２００　　記録媒体
２０２　　記録部
２０４　　インタフェース
２０６　　コネクタ
２１０　　記録媒体
２１２　　記録部
２１４　　インタフェース
２１６　　コネクタ
【図１】
2004007216.tif 000003
【図２】
2004007216.tif 000004
【図３】
2004007216.tif 000005
【図４】
2004007216.tif 000006
【図５】
2004007216.tif 000007
【図６】
2004007216.tif 000008
【図７】
2004007216.tif 000009
【図８】
2004007216.tif 000010
【図９】
2004007216.tif 000011
【図１０】
2004007216.tif 000012
【図１１】
2004007216.tif 000013
【図１２】
2004007216.tif 000014